(57)【要約】【課題】様々な動作状況に応じてタッチパネルの感度が適確に調節される画像形成装置を提供する。【解決手段】校正テーブルＴｄを参照して、画像形成装置１の動作状況に応じた各校正値ｘｘ、ｙｙを求め、各校正値ｘｘ、ｙｙを各基準閾値ｘｂ、ｙｂにそれぞれ加算して、各閾値ｘｓ、ｙｓを設定し、各閾値ｘｓ、ｙｓをタッチパネル５２の各静電容量値ｃｘ、ｃｙと比較して、各タッチ操作位置ｘｐ、ｙｐを求めているので、画像形成装置１の動作中であっても、タッチパネル５２の操作性を損なうことなく、タッチ操作の誤検出を抑制することができる。【選択図】図４
2015104815.tif 000002
【特許請求の範囲】
【請求項１】
タッチパネルを備えた画像形成装置であって、
前記画像形成装置の動作状況に応じて前記タッチパネルの感度を調節する制御部を備えたことを特徴とする画像形成装置。
【請求項２】
請求項１に記載の画像形成装置であって、
前記画像形成装置は、複数の機能を有しており、
前記動作状況は、前記各機能のうちの動作中の機能に対応することを特徴とする画像形成装置。
【請求項３】
請求項２に記載の画像形成装置であって、
前記機能は、複数の動作条件の少なくとも１つに基づき動作し、
前記動作状況は、前記機能が動作中のときに該機能の動作条件に対応することを特徴とする画像形成装置。
【請求項４】
請求項１に記載の画像形成装置であって、
前記画像形成装置は、複数のユニットを備えており、
前記動作状況は、前記各ユニットのうちの動作中のユニットに対応することを特徴とする画像形成装置。
【請求項５】
請求項１〜４のいずれか１つに記載の画像形成装置であって、
前記制御部は、前記画像形成装置の動作状況に応じて前記タッチパネルの一部の領域の感度を調節することを特徴とする画像形成装置。
【発明の詳細な説明】
【技術分野】
【０００１】
本発明は、タッチパネルを備えた画像形成装置に関する。
【背景技術】
【０００２】
プリンタ、ファクシミリ、複写機、複合機等の画像形成装置には、表示装置、及び表示装置の画面に重ねられたタッチパネル等が設けられており、画像形成装置の動作状態や操作キー等が表示装置の画面に表示され、利用者が表示装置の画面に表示されている操作キーにタッチすると、タッチパネルによりそのタッチされた操作キーが検出され、この操作キーのタッチ操作に応答して画像形成装置による印刷や複写等が行われる。
【０００３】
ここで、タッチパネルでは、周囲のノイズの影響を受けて、画面に表示されている操作キー等のタッチ操作を誤検出することがある。例えば、静電容量方式のタッチパネルは、多点マルチタッチができるなどの長所があるので、採用されることが多いものの、静電容量の微量な変化に基づきタッチ操作を検出するので、周囲のノイズの影響を受け易い。
【０００４】
このため、特許文献１では、表示装置の一端部を軸周りに回転自在に支持して、表示装置の傾斜角度（位置）を調節可能にした上で、表示装置の傾斜角度に応じて表示装置の画面に重ねられたタッチパネルの静電容量値と比較される閾値（タッチパネルの感度）を変更し、タッチパネルに対するタッチ操作の誤検出を防止している。
【０００５】
また、特許文献２では、画面に表示されている表示データに応じてノイズレベルを判定し、このノイズレベルに応じてタッチパネルの静電容量値と比較される閾値（タッチパネルの感度）を変更し、タッチパネルに対するタッチ操作の誤検出を防止している。
【先行技術文献】
【特許文献】
【０００６】
【特許文献１】特開２００９−２３９４１０号公報
【特許文献２】特開２０１２−２５６２５７号公報
【発明の概要】
【発明が解決しようとする課題】
【０００７】
ところで、画像形成装置においては、様々な動作状況が設定され、それぞれの動作状況によりノイズレベルが異なり、タッチパネルが受けるノイズの影響も変化する。例えば、画像形成装置としては、プリント機能、複写機能、ファクシミリ機能等の多様な機能を有する複合機があるが、この複合機では、各機能のいずれが動作しているかによりノイズレベルやノイズの発生位置が異なり、タッチパネルが受けるノイズの影響が変化する。
【０００８】
しかしながら、特許文献１及び２では、ノイズレベルやノイズの発生位置が考慮されておらず、このためにタッチパネルの感度が適確に調節されているとはいえなかった。
【０００９】
そこで、本発明は、上記従来の問題点に鑑みなされたものであり、様々な動作状況に応じてタッチパネルの感度が適確に調節される画像形成装置を提供することを目的とする。
【課題を解決するための手段】
【００１０】
上記課題を解決するために、本発明の画像形成装置は、タッチパネルを備えた画像形成装置であって、前記画像形成装置の動作状況に応じて前記タッチパネルの感度を調節する制御部を備えている。
【００１１】
このような画像形成装置では、画像形成装置の動作状況によりノイズレベルやノイズの発生位置が異なり、タッチパネルに対するノイズの影響が変化する。そこで、本発明では、画像形成装置の動作状況に応じてタッチパネルの感度を調節している。このため、タッチパネルに対するノイズの影響が小さな画像形成装置の動作状況では、タッチパネルの感度を高くして、タッチパネルの操作性を向上させ、またタッチパネルに対するノイズの影響が大きな画像形成装置の動作状況では、タッチパネルの感度を低くして、タッチ操作の誤検出を抑制することが可能である。
【００１２】
また、本発明の画像形成装置においては、前記画像形成装置は、複数の機能を有しており、前記動作状況は、前記各機能のうちの動作中の機能に対応する。
【００１３】
画像形成装置は、プリント機能、スキャナ機能、及び複写機能等を有している。これらの機能のいずれが動作するかにより画像形成装置の動作状況が変化するので、動作状況が各機能のうちの動作中の機能に対応する。
【００１４】
更に、本発明の画像形成装置においては、前記機能は、複数の動作条件の少なくとも１つに基づき動作し、前記動作状況は、前記機能が動作中のときに該機能の動作条件に対応する。
【００１５】
例えば、プリント機能、スキャナ機能、及び複写機能のいずれにおいても、モノクロ画像及びカラー画像のいずれについて動作するかにより動作状況が変化する。従って、モノクロ画像及びカラー画像のいずれについて動作するかを機能の動作条件とすると、機能が動作中のときには該機能の動作条件により動作状況が変化する。
【００１６】
また、本発明の画像形成装置においては、前記画像形成装置は、複数のユニットを備えており、前記動作状況は、前記各ユニットのうちの動作中のユニットに対応する。
【００１７】
画像形成装置は、原稿読取り装置、原稿搬送装置、プロセスユニット等の複数のユニットから構成されている。これらのユニットのいずれが動作するかにより画像形成装置の動作状況が変化するので、動作状況が各ユニットのうちの動作中のユニットに対応する。
【００１８】
更に、本発明の画像形成装置においては、前記制御部は、前記画像形成装置の動作状況に応じて前記タッチパネルの一部の領域の感度を調節している。
【００１９】
画像形成装置の動作状況によりノイズレベルや発生位置が異なることから、例えば、タッチパネルを複数の領域に区分し、各領域のうちのノイズの発生位置に近い領域の感度を低くて、その領域での誤検出を抑制してもよい。
【発明の効果】
【００２０】
本発明では、画像形成装置の動作状況に応じてタッチパネルの感度を調節している。このため、タッチパネルに対するノイズの影響が小さな画像形成装置の動作状況では、タッチパネルの感度を高くして、タッチパネルの操作性を向上させ、またタッチパネルに対するノイズの影響が大きな画像形成装置の動作状況では、タッチパネルの感度を低くして、タッチ操作の誤検出を抑制することが可能である。
【図面の簡単な説明】
【００２１】
【図１】本発明の画像形成装置の第１実施形態を示す斜視図である。
【図２】図１の画像形成装置を示す断面図である。
【図３】図１の画像形成装置における操作パネルを示す平面図である。
【図４】図１の画像形成装置の制御系を示すブロック図である。
【図５】（ａ）はタッチパネルのＸ軸方向における静電容量値を模式的に示すグラフであり、（ｂ）はタッチパネルのＹ軸方向における静電容量値を模式的に示すグラフである。
【図６】第１実施形態における画像形成装置の動作状況と基準閾値の校正に用いられる校正値とを対応付けた校正テーブルを例示する図である。
【図７】タッチパネルのＸ軸方向における静電容量値、基準閾値、閾値、及び校正値を例示するグラフである。
【図８】第１実施形態における閾値を求めるための手順を示すフローチャートである。
【図９】第２実施形態における画像形成装置の動作状況と基準閾値の校正に用いられる校正値とを対応付けた校正テーブルを例示する図である。
【図１０】第３実施形態における画像形成装置の各ユニット又は各ノイズ発生源と基準閾値の校正に用いられる個別校正値とを対応付けた校正テーブルを例示する図である。
【図１１】タッチパネルを複数の領域に区分した状態を示す平面図である。
【図１２】図１１のタッチパネルの各領域に対して設定された閾値を模式的に示すグラフである。
【発明を実施するための形態】
【００２２】
以下、本発明の実施形態を添付図面に基づき詳細に説明する。
【００２３】
図１及び図２は、本発明の画像形成装置の第１実施形態を示す斜視図及び断面図である。この画像形成装置１は、カラー画像及びモノクロ画像の読取り印刷を行うものであり、画像を記録用紙に印刷するプリント機能、原稿の画像を読取るスキャナ機能、及び原稿の画像を読取って、原稿の画像を記録用紙に印刷する複写機能等を有している。
【００２４】
また、画像形成装置１は、原稿読取り装置２、原稿搬送装置３、プロセスユニット４、給紙カセット５、用紙搬送装置６、及び操作パネル７等を備えている。プロセスユニット４、給紙カセット５、及び用紙搬送装置６は、画像形成装置１の本体に内蔵され、原稿読取り装置２及び原稿搬送装置３は、画像形成装置１の本体の上側に搭載され、操作パネル７は、原稿読取り装置２の前側端（利用者の立ち位置側に向く側端）に設けられている。
【００２５】
ここで、プロセスユニット４においては、ブラック（Ｋ）、シアン（Ｃ）、マゼンタ（Ｍ）、イエロー（Ｙ）の各色を用いたカラー画像、又は単色（例えばブラック）を用いたモノクロ画像を記録用紙に印刷するために、現像装置１２、感光体ドラム１３、ドラムクリーニング装置１４、及び帯電装置１５をそれぞれ４個ずつ設け、それぞれをブラック、シアン、マゼンタ、及びイエローに対応付けて、４つの画像形成ステーションＰａ、Ｐｂ、Ｐｃ、Ｐｄを構成している。また、各画像形成ステーションＰａ、Ｐｂ、Ｐｃ、Ｐｄの下方に光走査装置１１を設けている。
【００２６】
各画像形成ステーションＰａ、Ｐｂ、Ｐｃ、Ｐｄのいずれにおいても、ドラムクリーニング装置１４により感光体ドラム１３表面の残留トナーを除去及び回収した後、帯電装置１５により感光体ドラム１３の表面を所定の電位に均一に帯電させ、光走査装置１１から感光体ドラム１３表面への露光を受けて、感光体ドラム１３の表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２７】
引き続いて、中間転写ベルト２１を矢印方向Ｃに周回移動させつつ、ベルトクリーニング装置２２により中間転写ベルト２１の残留トナーを除去及び回収した後、各感光体ドラム１３表面の各色のトナー像を中間転写ベルト２１に順次転写して重ね合わせ、中間転写
ベルト２１上にカラーのトナー像を形成する。
【００２８】
中間転写ベルト２１と２次転写装置２３の転写ローラ２３ａとの間にはニップ域が形成されており、用紙搬送経路Ｓを通じて搬送されて来た記録用紙をそのニップ域に挟み込んで搬送しつつ、中間転写ベルト２１表面のカラーのトナー像を記録用紙上に転写する。そして、定着装置１７の加熱ローラ１８と定着ローラ１９との間に記録用紙を挟み込んで加熱及び加圧し、記録用紙上のカラーのトナー像を定着させる。
【００２９】
また、用紙搬送装置６において、記録用紙は、ピックアップローラ２４により給紙カセット５から引き出されて、用紙搬送経路Ｓを通じて搬送され、２次転写装置２３や定着装置１７を経由し、各排紙ローラ２５を介して排紙トレイ３９へと排出される。この用紙搬送経路Ｓには、記録用紙を一旦停止させて、記録用紙の先端を揃えた後、中間転写ベルト２１と転写ローラ２３ａ間のニップ域でのカラーのトナー像の転写タイミングに合わせて記録用紙の搬送を開始する各レジストローラ２７、記録用紙の搬送を促す各搬送ローラ２８、及び各排紙ローラ２５等が配置されている。
【００３０】
次に、画像形成装置１の本体上部に搭載された原稿読取り装置２及び原稿搬送装置３の概略構成を説明する。原稿搬送装置３は、その奥一辺が原稿読取り装置２の奥一辺に軸支されており、その手前部分が昇降されて、原稿搬送装置３が開閉される。原稿搬送装置３が開かれると、原稿読取り装置２の原稿読取りガラス３１及び原稿載置ガラス３２が開放され、原稿載置ガラス３２上に原稿を載置することができる。
【００３１】
原稿読取り装置２では、第１及び第２走査部３３、３４を相互に所定の速度関係を維持しつつ移動させ、第１走査部３３の光源３３ａにより原稿載置ガラス３２上の原稿を照明し、第１及び第２走査部３３、３４の各ミラー３３ｂ、３４ｂによって原稿からの反射光を結像レンズ３６へと導き、結像レンズ３６によって原稿の画像をＣＣＤ（Charge Coupled Device）３７上に結像する。ＣＣＤ３７は、原稿の画像を主走査方向に繰り返し読取り、原稿の画像を示す画像データを出力する。
【００３２】
また、原稿読取り装置２は、静止原稿だけではなく、原稿搬送装置３により搬送されている原稿の画像を読取ることができる。この場合は、図１に示すように第１走査部３３を原稿読取りガラス３１下方の読取り位置に移動し、第１走査部３３の位置に応じて第２走査部３４を位置決めし、この状態で、原稿搬送装置３による原稿の搬送を開始する。
【００３３】
原稿搬送装置３では、ピックアップローラ４１により原稿トレイ４２上の原稿を引き出し、原稿を原稿搬送経路４３を通じて搬送し、原稿を原稿読取りガラス３１と対向ガイド板４６との間に通して各排紙ローラ４７から排紙トレイ４８へと排出する。
【００３４】
この原稿の搬送に際し、第１走査部３３の光源３３ａにより原稿を原稿読取りガラス３１を介して照明し、原稿からの反射光を第１及び第２走査部３３、３４の各ミラー３３ｂ、３４ｂで反射して結像レンズ３６へと導き、結像レンズ３６により原稿の画像をＣＣＤ３７上に結像させ、ＣＣＤ３７により原稿の画像を読取る。
【００３５】
このようにＣＣＤ３７により読取られた原稿の画像は、ＣＣＤ３７からアナログ信号として出力され、このアナログ信号がデジタル信号にＡ／Ｄ変換される。そして、このデジタル信号（画像データ）は、種々の画像処理を施されてからプロセスユニット４の光走査装置１１に入力され、プロセスユニット４で画像データによって示される画像が記録用紙に印刷される。
【００３６】
一方、操作パネル７は、画像形成装置１のプリント機能、スキャナ機能、及び複写機能
等を選択的に動作させたり、カラー画像及びモノクロ画像のいずれかを選択したりするために利用者により操作される。
【００３７】
図３は、操作パネル７を示す平面図である。図３に示すように操作パネル７は、液晶表示装置等からなる表示部５１、及び表示部５１の画面に重ねられた透明なタッチパネル５２等を有している。タッチパネル５２は、表示部５１の画面上に表示されている各操作キーのいずれかがタッチ操作されると、このタッチ操作された操作キーを検出する。タッチパネル５２は、例えば投影型静電容量方式のものであって、多点マルチタッチが可能である。
【００３８】
次に、画像形成装置１の制御系の構成を説明する。図４は、画像形成装置１の制御系の構成を示すブロック図である。図４において、主制御部６１は、原稿読取り装置２、原稿搬送装置３、プロセスユニット４、用紙搬送装置６、及び定着装置１７を駆動制御し、操作パネル７の操作に応答してプリント機能、スキャナ機能、及び複写機能等を選択的に動作させる。
【００３９】
例えば、主制御部６１は、操作パネル７のタッチパネル５２のタッチ操作によりスキャナ機能の動作が指示されると、原稿読取り装置２により原稿の画像を読取らせて、原稿の画像を示す画像データを生成して画像メモリ６２に記憶したり、原稿の画像を示す画像データを画像メモリ６２から読み出して、画像データを入出力部６３を通じて外部記憶装置や外部端末装置（図示せず）に出力したりする。また、主制御部６１は、操作パネル７のタッチパネル５２のタッチ操作によりプリント機能の動作が指示されると、画像データを画像メモリ６２から読出して、画像データによって示される画像をプロセスユニット４で記録用紙に印刷させる。更に、主制御部６１は、操作パネル７のタッチパネル５２のタッチ操作により複写機能の動作が指示されると、原稿の画像を示す画像データを生成して画像メモリ６２に記憶し、画像データによって示される画像をプロセスユニット４で記録用紙に印刷させる。
【００４０】
ところで、操作パネル７の表示部５１の画面に重ねられたタッチパネル５２は、投影型静電容量方式のものであって、静電容量値の微量な変化に基づきタッチ操作を検出するので、周囲のノイズの影響によりタッチ操作の誤検出を生じ易い。
【００４１】
また、画像形成装置１には、タッチパネル５２に影響を与える多くのノイズの発生源が存在する。例えば、ノイズの発生源として、図１及び図４に示すように原稿読取り装置２における第１及び第２走査部３３、３４を駆動するモータ６４、光源３３ａ、原稿搬送装置３におけるピックアップローラ４１及び各排紙ローラ４７等を駆動するモータ６５、用紙搬送装置６における各レジストローラ２７及び各搬送ローラ２８等を駆動するモータ６６、定着装置１７の加熱ローラ１８内部に設けられたヒータランプ６７、プロセスユニット４（帯電装置１５やモータ）等が存在する。
【００４２】
そして、これらのノイズの発生源は、ノイズレベル及びタッチパネル５２に対する位置が異なるため、タッチパネル５２に対するノイズの影響の程度が異なる。従って、各モータ６４、６５、６６、光源３３ａ、ヒータランプ６７、プロセスユニット４のいずれが動作しているかにより、つまり画像形成装置１の動作状況により、タッチパネル５２が受けるノイズの影響の程度が変化する。
【００４３】
そこで、第１実施形態の画像形成装置１では、画像形成装置１の動作状況に応じてタッチパネル５２の感度を調節している。タッチパネル５２に対するノイズの影響が小さな画像形成装置１の動作状況では、タッチパネル５２の感度を高くして、タッチパネル５２の操作性を向上させ、またタッチパネル５２に対するノイズの影響が大きな画像形成装置１
の動作状況では、タッチパネル５２の感度を低くして、タッチ操作の誤検出を抑制している。これにより、画像形成装置１の動作中であっても、タッチパネル５２の操作性を損なうことなく、タッチ操作の誤検出を抑制することが可能になる。例えば、プリント機能やスキャナ機能が動作している最中に、利用者がタッチパネル５２を操作して、画像形成装置１の複写機能の設定を行っても、タッチ操作の誤検出が生じることはない。
【００４４】
次に、そのような画像形成装置１の動作状況に応じたタッチパネル５２の感度調節について詳しく説明する。
【００４５】
図５（ａ）は、タッチパネル５２のＸ軸方向における静電容量値ｃｘを模式的に示すグラフであり、図５（ｂ）は、タッチパネル５２のＹ軸方向における静電容量値ｃｙを模式的に示すグラフである。図５（ａ）のグラフに示すようにタッチパネル５２のＸ軸方向におけるタッチ操作位置をｘｐとすると、そのタッチ操作位置ｘｐで静電容量値ｃｘが増大する。同様に、図５（ｂ）のグラフに示すようにタッチパネル５２のＹ軸方向におけるタッチ操作位置をｙｐとすると、そのタッチ操作位置ｙｐで静電容量値ｃｙが増大する。このため、例えば、Ｘ軸方向における静電容量値ｃｘと比較される閾値ｘｓを適宜設定しておけば、静電容量値ｃｘが閾値ｘｓ以上となったときに、タッチ操作がなされたと判定して、静電容量値ｃｘが最大となる位置をタッチ操作位置ｘｐとして求めることができる。同様に、Ｙ軸方向における静電容量値ｃｙと比較される閾値ｙｓを適宜設定しておけば、静電容量値ｃｙが閾値ｙｓ以上となったときに、タッチ操作がなされたと判定して、静電容量値ｃｙが最大となる位置をタッチ操作位置ｙｐとして求めることができる。
【００４６】
また、図４に示すように操作パネル７には、表示部５１及びタッチパネル５２の他に、パネル制御部５３が設けられている。パネル制御部５３は、タッチパネル５２のＸ軸方向における静電容量値ｃｘを入力して閾値ｘｓと比較し、静電容量値ｃｘが閾値ｘｓ以上になると、静電容量値ｃｘが最大となる位置をタッチ操作位置ｘｐとして求め、同様にタッチパネル５２のＹ軸方向における静電容量値ｃｙを入力して閾値ｙｓと比較し、静電容量値ｃｙが閾値ｙｓ以上になると、静電容量値ｃｙが最大となる位置をタッチ操作位置ｙｐとして求める。
【００４７】
一方、主制御部６１は、原稿読取り装置２、原稿搬送装置３、プロセスユニット４、用紙搬送装置６、及び定着装置１７を駆動制御することから、画像形成装置１の動作状況を判定することができ、この判定した画像形成装置１の動作状況をパネル制御部５３に通知する。
【００４８】
パネル制御部５３は、画像形成装置１の動作状況を通知されると、画像形成装置１の動作状況に応じた各校正値ｘｘ、ｙｙを求めて、各校正値ｘｘ、ｙｙを予め設定された各基準閾値ｘｂ、ｙｂにそれぞれ加算して、各閾値ｘｓ、ｙｓを設定する。すなわち、画像形成装置１の動作状況に応じて、タッチパネル５２の各静電容量値ｃｘ、ｃｙと比較される各閾値ｘｓ、ｙｓを設定する。これにより、タッチパネル５２の感度を高くしたり低くしたりすることができる。
【００４９】
ここで、パネル制御部５３は、該パネル制御部５３に内蔵のメモリ（図示せず）に予め記憶されている校正テーブルＴｄを参照して、画像形成装置１の動作状況に応じた各校正値ｘｘ、ｙｙを求めている。
【００５０】
図６は、画像形成装置１の動作状況と各校正値ｘｘ、ｙｙとを対応付けた校正テーブルＴｄを例示する図である。この校正テーブルＴｄでは、原稿読取り装置２の光源３３ａに対して個別校正値＋１５を、原稿読取り装置２のモータ６４に対して個別校正値＋５を、原稿搬送装置３のモータ６５に対して個別校正値＋８を、定着装置１７のヒータランプ６
７に対して個別校正値＋１０を、用紙搬送装置６のモータ６６に対して個別校正値＋４を、プロセスユニット４に対して個別校正値＋１２をそれぞれ設定している。これらのノイズの発生源の個別校正値は、ノイズの発生源のノイズレベル及びタッチパネル５２からのノイズの発生源の離間距離に応じて予め設定されたものであり、タッチパネル５２に対するノイズの影響が大きくなる程、個別校正値が大きく設定されている。また、画像形成装置１の動作状況を、第１複写機能、第２複写機能、プリント機能、第１スキャナ機能、及び第２スキャナ機能、及び待機に区別し、各機能及び待機に対して各校正値ｘｘ、ｙｙを設定している。
【００５１】
第１複写機能では、原稿載置ガラス３２上に載置された原稿の画像を読取るために、原稿読取り装置２の光源３３ａ及びモータ６４を動作させて、原稿搬送装置３のモータ６５を停止させ、また原稿の画像を記録用紙に印刷するために、定着装置１７のヒータランプ６７、用紙搬送装置６のモータ６６、及びプロセスユニット４を動作させる。従って、光源３３ａ、モータ６４、ヒータランプ６７、モータ６６、及びプロセスユニット４の個別校正値＋１５、＋５、＋１０、＋４、＋１２の和が＋４６となって、各校正値ｘｘ、ｙｙが＋４６に設定されている。
【００５２】
第２複写機能では、原稿搬送装置３により搬送されている原稿の画像を読取るために、原稿読取り装置２のモータ６４を停止させて、原稿読取り装置２の光源３３ａを動作させ、原稿搬送装置３のモータ６５を動作させ、また原稿の画像を記録用紙に印刷するために、定着装置１７のヒータランプ６７、用紙搬送装置６のモータ６６、及びプロセスユニット４を動作させる。従って、光源３３ａ、モータ６５、ヒータランプ６７、モータ６６、及びプロセスユニット４の個別校正値＋１５、＋８、＋１０、＋４、＋１２の和が＋４９となって、各校正値ｘｘ、ｙｙが＋４９に設定されている。
【００５３】
プリント機能では、画像を記録用紙に印刷するために、定着装置１７のヒータランプ６７、用紙搬送装置６のモータ６６、及びプロセスユニット４を動作させる。従って、ヒータランプ６７、モータ６６、及びプロセスユニット４の個別校正値＋１０、＋４、＋１２の和が＋２６となって、各校正値ｘｘ、ｙｙが＋２６に設定されている。
【００５４】
第１スキャナ機能では、原稿載置ガラス３２上に載置された原稿の画像を読取るために、原稿読取り装置２の光源３３ａ及びモータ６４を動作させる。従って、光源３３ａ、モータ６４の個別校正値＋１５、＋５の和が＋２０となって、各校正値ｘｘ、ｙｙが＋２０に設定されている。
【００５５】
第２スキャナ機能では、原稿搬送装置３により搬送されている原稿の画像を読取るために、原稿読取り装置２のモータ６４を停止させて、原稿読取り装置２の光源３３ａを動作させ、原稿搬送装置３のモータ６５を動作させる。従って、光源３３ａ、モータ６５の個別校正値＋１５、＋８の和が＋２３となって、各校正値ｘｘ、ｙｙが＋２３に設定されている。
【００５６】
待機では、光源３３ａ、各モータ６４、６５、６６、及びプロセスユニット４が停止され、ヒータランプ６７の温度が低く設定される。このため、各校正値ｘｘ、ｙｙが０に設定されている。
【００５７】
このように校正テーブルＴｄでは、画像形成装置１の動作状況を、第１複写機能、第２複写機能、プリント機能、第１スキャナ機能、第２スキャナ機能、及び待機に対応させて定義し、各機能及び待機に対応するそれぞれの各校正値ｘｘ、ｙｙを設定している。このため、校正テーブルＴｄを参照して、画像形成装置１の動作状況に対応する各校正値ｘｘ、ｙｙを求めることができる。
【００５８】
主制御部６１は、原稿読取り装置２、原稿搬送装置３、プロセスユニット４、用紙搬送装置６、及び定着装置１７を駆動制御しつつ、画像形成装置１が第１複写機能、第２複写機能、プリント機能、第１スキャナ機能、第２スキャナ機能、及び待機のいずれにあるかを判定し、判定した機能又は待機をパネル制御部５３に通知する。
【００５９】
パネル制御部５３は、機能又は待機を通知されると、校正テーブルＴｄを参照して、機能又は待機に対応する各校正値ｘｘ、ｙｙを求め、各校正値ｘｘ、ｙｙを予め設定された各基準閾値ｘｂ、ｙｂにそれぞれ加算して、各閾値ｘｓ、ｙｓを設定し、タッチパネル５２の各静電容量値ｃｘ、ｃｙが各閾値ｘｓ、ｙｓ以上になると、各タッチ操作位置ｘｐ、ｙｐを求める。
【００６０】
図７は、タッチパネル５２のＸ軸方向における静電容量値ｃｘ、基準閾値ｘｂ、閾値ｘｓ、及び校正値ｘｘを例示するグラフである。図７のグラフに示すように時点ｔ０〜ｔ１では、画像形成装置１が待機の状態であり、待機が主制御部６１からパネル制御部５３に通知される。パネル制御部５３は、待機に対応する校正値ｘｘ（＝０）を校正テーブルＴｄから求め、校正値ｘｘを基準閾値ｘｂに加算して、閾値ｘｓ（＝ｘｂ）を設定し、タッチパネル５２の静電容量値ｃｘが閾値ｘｓ以上になると、タッチ操作位置ｘｐを求める。
【００６１】
また、時点ｔ１〜ｔ２では、画像形成装置１の第２複写機能が利用されており、ノイズの影響によりタッチパネル５２の静電容量値ｃｘが基準閾値ｘｂ以上に増大することがある。このとき、第２複写機能が主制御部６１からパネル制御部５３に通知される。パネル制御部５３は、第２複写機能に対応する校正値ｘｘ（＝４９）を校正テーブルＴｄから求めて、校正値ｘｘを基準閾値ｘｂに加算して、閾値ｘｓ（＝ｘｂ＋４９）を設定し、タッチパネル５２の静電容量値ｃｘが閾値ｘｓ以上になると、タッチ操作位置ｘｐを求める。
【００６２】
更に、時点ｔ２〜３では、画像形成装置１の第１スキャナ機能が利用されており、ノイズの影響によりタッチパネル５２の静電容量値ｃｘが基準閾値ｘｂ以上に増大することがある。このとき、第１スキャナ機能が主制御部６１からパネル制御部５３に通知される。パネル制御部５３は、第１スキャナ機能に対応する校正値ｘｘ（＝２０）を校正テーブルＴｄから求めて、校正値ｘｘを基準閾値ｘｂに加算して、閾値ｘｓ（＝ｘｂ＋２０）を設定し、タッチパネル５２の静電容量値ｃｘが閾値ｘｓ以上になると、タッチ操作位置ｘｐを求める。
【００６３】
更に、時点ｔ３以降では、画像形成装置１が待機の状態であるため、待機が主制御部６１からパネル制御部５３に通知される。従って、パネル制御部５３は、待機に対応する校正値ｘｘ（＝０）を基準閾値ｘｂに加算して、閾値ｘｓ（＝ｘｂ）を設定し、タッチパネル５２の静電容量値ｃｘが閾値ｘｓ以上になると、タッチ操作位置ｘｐを求める。
【００６４】
同様に、タッチパネル５２のＹ軸方向における静電容量値ｃｙ、基準閾値ｙｂ、閾値ｙｓ、及び校正値ｙｙについても、時点ｔ０〜ｔ１では、画像形成装置１が待機の状態であるため、パネル制御部５３は、主制御部６１から待機の通知を受け、待機に対応する校正値ｙｙ（＝０）を校正テーブルＴｄから求めて、校正値ｙｙを基準閾値ｙｂに加算して、閾値ｙｓ（＝ｙｂ）を設定し、タッチパネル５２の静電容量値ｃｙが閾値ｙｓ以上になると、タッチ操作位置ｙｐを求める。
【００６５】
また、時点ｔ１〜ｔ２では、画像形成装置１の第２複写機能が利用されているため、パネル制御部５３は、主制御部６１から第２複写機能の通知を受け、第２複写機能に対応する校正値ｙｙ（＝４９）を校正テーブルＴｄから求めて、校正値ｙｙを基準閾値ｙｂに加算して、閾値ｙｓ（＝ｙｂ＋４９）を設定し、タッチパネル５２の静電容量値ｃｙが閾値
ｙｓ以上になると、タッチ操作位置ｙｐを求める。
【００６６】
更に、時点ｔ２〜３では、画像形成装置１の第１スキャナ機能が利用されているため、パネル制御部５３は、第１スキャナ機能の通知を受け、第１スキャナ機能に対応する校正値ｙｙ（２０）を校正テーブルＴｄから求めて、校正値ｙｙを基準閾値ｙｂに加算して、閾値ｙｓ（＝ｙｂ＋２０）を設定し、タッチパネル５２の静電容量値ｃｙが閾値ｙｓ以上になると、タッチ操作位置ｙｐを求める。
【００６７】
更に、時点ｔ３以降では、画像形成装置１が待機の状態であるため、パネル制御部５３は、待機の通知を受け、閾値ｙｓを基準閾値ｙｂに設定し（ｙｓ＝ｙｂ）、タッチパネル５２の静電容量値ｃｙが閾値ｙｓ以上になると、タッチ操作位置ｙｐを求める。
【００６８】
次に、図８のフローチャートを参照して、校正テーブルＴｄに基づき各閾値ｘｓ、ｙｓを求める手順を整理して説明する。まず、パネル制御部５３は、各閾値ｘｓ、ｙｓを各基準閾値ｘｂ、ｙｂに初期設定し（ステップＳ１０１）、主制御部６１からの機能の通知を待機する（ステップＳ１０２）。
【００６９】
このとき、パネル制御部５３は、動作中の機能を主制御部６１から通知されなければ（ステップＳ１０２で「Ｎｏ」）、各基準閾値ｘｂ、ｙｂに初期設定された各閾値ｘｓ、ｙｓとタッチパネル５２の各静電容量値ｃｘ、ｃｙとを比較して、各静電容量値ｃｘ、ｃｙが各閾値ｘｓ、ｙｓ以上になると、各タッチ操作位置ｘｐ、ｘｙを求める。
【００７０】
また、パネル制御部５３は、動作中の機能を主制御部６１から通知されると（ステップＳ１０２で「Ｙｅｓ」）、動作中の機能に対応する各校正値ｘｘ、ｙｙを校正テーブルＴｄから求めて、各校正値ｘｘ、ｙｙをそれぞれの基準閾値ｘｂ、ｙｂに加算して（ステップＳ１０３）、各閾値ｘｓ、ｙｓを設定する（ステップＳ１０４）。そして、パネル制御部５３は、その機能の動作が終了しない限りは（ステップＳ１０５で「Ｎｏ」）、ステップＳ１０４で設定した各閾値ｘｓ、ｙｓを保持し、タッチパネル５２の各静電容量値ｃｘ、ｃｙが各閾値ｘｓ、ｙｓ以上になると、各タッチ操作位置ｘｐ、ｘｙを求める。
【００７１】
更に、パネル制御部５３は、その機能の動作の終了に伴い、画像形成装置１の待機を主制御部６１から通知されると（ステップＳ１０５で「Ｙｅｓ」）、各閾値ｘｓ、ｙｓを各基準閾値ｘｂ、ｙｂに戻して（ステップＳ１０１）、主制御部６１からの機能の通知を再び待機する（ステップＳ１０２）。あるいは、パネル制御部５３は、その機能の動作の終了に伴い、その機能の動作から他の機能の動作へと遷移して、動作中となった他の機能を主制御部６１から通知されると、ステップＳ１０１、Ｓ１０２からステップＳ１０３へと直ちに移行して、動作中の他の機能に対応する各校正値ｘｘ、ｙｙを校正テーブルＴｄから求めて、各校正値ｘｘ、ｙｙをそれぞれの基準閾値ｘｂ、ｙｂに加算し（ステップＳ１０３）、各閾値ｘｓ、ｙｓを設定する（ステップＳ１０４）。そして、パネル制御部５３は、各閾値ｘｓ、ｙｓを各静電容量値ｃｘ、ｃｙと比較して、各タッチ操作位置ｘｐ、ｘｙを求める。
【００７２】
このように第１実施形態の画像形成装置１では、校正テーブルＴｄを参照して、画像形成装置１の動作状況に応じた各校正値ｘｘ、ｙｙを求め、各校正値ｘｘ、ｙｙを各基準閾値ｘｂ、ｙｂにそれぞれ加算して、各閾値ｘｓ、ｙｓを設定し、各閾値ｘｓ、ｙｓをタッチパネル５２の各静電容量値ｃｘ、ｃｙと比較して、各タッチ操作位置ｘｐ、ｙｐを求めているので、画像形成装置１の動作中であっても、タッチパネル５２の操作性を損なうことなく、タッチ操作の誤検出を抑制することができる。
【００７３】
次に、本発明の画像形成装置１の第２実施形態について説明する。第２実施形態の画像
形成装置１は、第１実施形態と同様に、図１、図２、及び図４に示すような構成を有し、図３に示すような操作パネル７を備えているが、第１複写機能、第２複写機能、プリント機能、第１スキャナ機能、第２スキャナ機能、及び待機だけではなく、各機能の動作条件によっても各校正値ｘｘ、ｙｙを変更して、各閾値ｘｓ、ｙｓを求めるようにしている。
【００７４】
例えば、記録用紙が普通紙又は薄紙であるときと厚紙であるときとでは、用紙搬送装置６における各レジストローラ２７及び各搬送ローラ２８等を駆動するモータ６６にかかる負荷が異なり、記録用紙が普通紙又は薄紙であるときよりも厚紙であるときの方が、モータ６６にかかる負荷が大きくなって、モータ６６のノイズレベルが高くなる。このため、記録用紙が厚紙であるときには、各校正値ｘｘ、ｙｙを高くするのが好ましい。
【００７５】
あるいは、記録用紙に印刷される画像がモノクロ画像であるときとカラー画像であるときとでは、プロセスユニット４のノイズレベルが異なり、記録用紙に印刷される画像がモノクロ画像であるときよりもカラー画像であるときの方が、プロセスユニット４のノイズレベルが高くなる。このため、画像がカラー画像であるときには、各校正値ｘｘ、ｙｙを高くするのが好ましい。
【００７６】
また、第１複写機能、第２複写機能、及びプリント機能では、用紙搬送装置６による記録用紙の搬送が行われるため、記録用紙が厚紙であるときに各校正値ｘｘ、ｙｙを高くする。ただし、第１スキャナ機能及び第２スキャナ機能では、用紙搬送装置６による記録用紙の搬送が行われないため、各校正値ｘｘ、ｙｙを高くする必要がない。
【００７７】
同様に、第１複写機能、第２複写機能、プリント機能では、モノクロ画像又はカラー画像が記録用紙に印刷されるため、カラー画像が印刷されるときに各校正値ｘｘ、ｙｙを高くする。ただし、第１スキャナ機能及び第２スキャナ機能では、記録用紙への画像の印刷が行われないため、各校正値ｘｘ、ｙｙを高くする必要がない。
【００７８】
すなわち、第１複写機能、第２複写機能、プリント機能については、記録用紙が厚紙であるか否か、及びモノクロ画像及びカラー画像のいずれが記録用紙に印刷されるかを動作条件とすると、これらの動作条件により画像形成装置１の動作状況が変化し、これらの動作状況により、タッチパネル５２が受けるノイズの影響の程度が変化する。このため、第１複写機能、第２複写機能、プリント機能の動作条件に応じて各校正値ｘｘ、ｙｙを変更して、各閾値ｘｓ、ｙｓを求める必要がある。
【００７９】
ここで、第１複写機能、第２複写機能、プリント機能の動作条件に応じて各校正値ｘｘ、ｙｙを変更するために、図９に示すような校正テーブルＴｄＡをパネル制御部５３に内蔵のメモリ（図示せず）に予め記憶している。
【００８０】
この校正テーブルＴｄＡでは、用紙搬送装置６のモータ６６については、記録用紙が厚紙ではないという動作条件ａに対して個別校正値＋４を、記録用紙が厚紙であるという動作条件ｂに対して個別校正値＋６をそれぞれ設定している。
【００８１】
また、モノクロ画像が記録用紙に印刷されるという動作条件ｃに対して個別校正値＋１０を、カラー画像が記録用紙に印刷されるという動作条件ｄに対して個別校正値＋１４をそれぞれ設定している。
【００８２】
更に、原稿読取り装置２の光源３３ａに対する個別校正値＋１５、原稿読取り装置２のモータ６４に対する個別校正値＋５、原稿搬送装置３のモータ６５に対する個別校正値＋８、及び定着装置１７のヒータランプ６７に対する個別校正値＋１０は、図５に示す校正テーブルＴｄと同様に設定されている。
【００８３】
そして、第１複写機能、第２複写機能、プリント機能については、各動作条件ａ及びｃ、各動作条件ａ及びｄ、各動作条件ｂ及びｃ、各動作条件ｂ及びｄという４つの組み合わせがあるため、それぞれの組み合わせに対応する各校正値ｘｘ、ｙｙを設定している。例えば、第１複写機能では、各動作条件ａ及びｃに対応する各校正値ｘｘ、ｙｙを各個別校正値＋１５、＋５、＋１０、＋４、＋１０の和（＝＋４４）に設定し、また各動作条件ａ及びｄに対応する各校正値ｘｘ、ｙｙを各個別校正値＋１５、＋５、＋１０、＋４、＋１４の和（＋４８）に設定し、更に各動作条件ｂ及びｃに対応する各校正値ｘｘ、ｙｙを各個別校正値＋１５、＋５、＋１０、＋６、＋１０の和（＝＋４６）に設定し、また各動作条件ｂ及びｄに対応する各校正値ｘｘ、ｙｙを各個別校正値＋１５、＋５、＋１０、＋６、＋１４の和（＝＋５０）に設定している。第２複写機能及びプリント機能についても、第１複写機能と同様に設定している。
【００８４】
このような構成において、主制御部６１は、原稿読取り装置２、原稿搬送装置３、プロセスユニット４、用紙搬送装置６、及び定着装置１７を駆動制御しつつ、画像形成装置１が第１複写機能、第２複写機能、プリント機能、第１スキャナ機能、第２スキャナ機能、及び待機のいずれの動作状態であるかを判定して、判定した機能又は待機をパネル制御部５３に通知する。
【００８５】
また、主制御部６１は、第１複写機能、第２複写機能、及びプリント機能のいずれかの動作状態にあると判定したときに、各動作条件ａ及びｃ、各動作条件ａ及びｄ、各動作条件ｂ及びｃ、各動作条件ｂ及びｄという４つの組み合わせのいずれかを選択し、その選択した動作条件の組み合わせをパネル制御部５３に通知する。ここでは、記録用紙が厚紙ではないという動作条件ａ及びモノクロ画像は、記録用紙に印刷されるという動作条件ｃがデフォルト設定となっており、また記録用紙が厚紙であるという動作条件ｂ及びカラー画像が記録用紙に印刷されるという動作条件ｄは、操作パネル７の操作により指示されたときに設定される。従って、デフォルト設定の動作条件及び操作パネル７の操作により指示された動作条件に基づき、各動作条件ａ及びｃ、各動作条件ａ及びｄ、各動作条件ｂ及びｃ、各動作条件ｂ及びｄという４つの組み合わせのいずれかが選択されてパネル制御部５３に通知される。
【００８６】
パネル制御部５３は、第１複写機能、第２複写機能、及びプリント機能のいずれかの機能及び動作条件の組み合わせを通知されると、校正テーブルＴｄＡを参照して、その通知された機能及び動作条件の組み合わせに応じた各校正値ｘｘ、ｙｙを求め、各校正値ｘｘ、ｙｙを予め設定された各基準閾値ｘｂ、ｙｂにそれぞれ加算して、各閾値ｘｓ、ｙｓを設定し、タッチパネル５２の各静電容量値ｃｘ、ｃｙが各閾値ｘｓ、ｙｓ以上になると、各タッチ操作位置ｘｐ、ｙｐを求める。
【００８７】
また、パネル制御部５３は、第１スキャナ機能、第２スキャナ機能、及び待機のいずれかを通知されると、校正テーブルＴｄＡを参照して、その通知された機能又は待機に応じた各校正値ｘｘ、ｙｙを求め、各校正値ｘｘ、ｙｙを各基準閾値ｘｂ、ｙｂにそれぞれ加算して、各閾値ｘｓ、ｙｓを設定し、タッチパネル５２の各静電容量値ｃｘ、ｃｙが各閾値ｘｓ、ｙｓ以上になると、各タッチ操作位置ｘｐ、ｙｐを求める。
【００８８】
例えば、パネル制御部５３は、待機を通知されると、待機に対応する各校正値ｘｘ、ｙｙ（＝＋０）を校正テーブルＴｄＡから求め、各校正値ｘｘ、ｙｙを各基準閾値ｘｂ、ｙｂにそれぞれ加算して、各閾値ｘｓ、ｙｓ（＝ｘｂ、ｙｂ）を設定し、タッチパネル５２の各静電容量値ｃｘ、ｃｙが各閾値ｘｓ、ｙｓ以上になると、各タッチ操作位置ｘｐ、ｙｐを求める。
【００８９】
また、パネル制御部５３は、第１スキャナ機能を通知されると、第１スキャナ機能に対応する各校正値ｘｘ、ｙｙ（＝＋２０）を校正テーブルＴｄＡから求め、各校正値ｘｘ、ｙｙを各基準閾値ｘｂ、ｙｂにそれぞれ加算して、各閾値ｘｓ、ｙｓ（＝ｘｂ＋２０、ｙｂ＋２０）を設定し、タッチパネル５２の各静電容量値ｃｘ、ｃｙが各閾値ｘｓ、ｙｓ以上になると、各タッチ操作位置ｘｐ、ｙｐを求める。
【００９０】
あるいは、パネル制御部５３は、第１複写機能及び各動作条件ｂ及びｃを通知されると、第１複写機能及び各動作条件ｂ及びｃに対応する各校正値ｘｘ、ｙｙ（＝＋４６）を校正テーブルＴｄＡから求め、各校正値ｘｘ、ｙｙを各基準閾値ｘｂ、ｙｂにそれぞれ加算して、各閾値ｘｓ、ｙｓ（＝ｘｂ＋４６、ｙｂ＋４６）を設定し、タッチパネル５２の各静電容量値ｃｘ、ｃｙが各閾値ｘｓ、ｙｓ以上になると、各タッチ操作位置ｘｐ、ｙｐを求める。
【００９１】
また、パネル制御部５３は、第２複写機能及び各動作条件ａ及びｄを通知されると、第１複写機能及び各動作条件ｂ及びｃに対応する各校正値ｘｘ、ｙｙ（＝＋４８）を校正テーブルＴｄＡから求め、各校正値ｘｘ、ｙｙを各基準閾値ｘｂ、ｙｂにそれぞれ加算して、各閾値ｘｓ、ｙｓ（＝ｘｂ＋４８、ｙｂ＋４８）を設定し、タッチパネル５２の各静電容量値ｃｘ、ｃｙが各閾値ｘｓ、ｙｓ以上になると、各タッチ操作位置ｘｐ、ｙｐを求める。
【００９２】
このように第２実施形態の画像形成装置１では、校正テーブルＴｄＡを参照して、画像形成装置１の機能だけではなく、機能の動作条件に応じた各校正値ｘｘ、ｙｙを求め、各校正値ｘｘ、ｙｙを用いて、タッチパネル５２の各静電容量値ｃｘ、ｃｙと比較される各閾値ｘｓ、ｙｓをより適確に設定しているので、画像形成装置１の動作中であっても、タッチパネル５２の操作性を損なうことなく、タッチ操作の誤検出を抑制することができる。
【００９３】
次に、本発明の画像形成装置１の第３実施形態について説明する。第３実施形態の画像形成装置１は、第１実施形態と同様に、図１、図２、及び図４に示すような構成を有し、図３に示すような操作パネル７を備えているが、機能や待機に応じて各校正値ｘｘ、ｙｙを変更するのではなく、画像形成装置１の動作中にノイズを発生するユニットを随時判定して、この判定したユニットに対して設定された個別校正値に基づき各閾値ｘｓ、ｙｓを設定するようにしている。
【００９４】
このため、図１０に示すような校正テーブルＴｄＢをパネル制御部５３に内蔵のメモリ（図示せず）に予め記憶している。この校正テーブルＴｄＢでは、原稿読取り装置２に対して設定された個別校正値＋１５、原稿搬送装置３のモータ６５に対して設定された個別校正値＋８、定着装置１７のヒータランプ６７に対して設定された個別校正値＋１０、用紙搬送装置６のモータ６６に対して設定された個別校正値＋４、プロセスユニット４に対して設定された個別校正値＋１２、待機に対して設定された個別校正値＋０をそれぞれ設定している。すなわち、原稿読取り装置２、原稿搬送装置３のモータ６５、定着装置１７のヒータランプ６７、用紙搬送装置６のモータ６６、及びプロセスユニット４という各ユニット、各ノイズ発生源、又は画像形成装置１の待機の状態に対してそれぞれの個別校正値を設定している。
【００９５】
このような構成において、主制御部６１は、原稿読取り装置２、原稿搬送装置３、プロセスユニット４、用紙搬送装置６、及び定着装置１７という各ユニットを駆動制御することから、各ユニット又は各ノイズ発生源のいずれが動作しているかを判定することができ、動作している少なくとも１つのユニット又はノイズ発生源を判定すると、この動作しているユニット又はノイズ発生源をパネル制御部５３に通知する。また、主制御部６１は、
画像形成装置１が待機の状態にあると判定すると、待機をパネル制御部５３に通知する。
【００９６】
パネル制御部５３は、動作しているユニット、ノイズ発生源、又は待機を通知されると、校正テーブルＴｄＢを参照して、その動作しているユニット、ノイズ発生源、又は待機に対して設定された個別校正値を求め、この個別校正値から各校正値ｘｘ、ｙｙを求めて、各校正値ｘｘ、ｙｙを予め設定された各基準閾値ｘｂ、ｙｂにそれぞれ加算して、各閾値ｘｓ、ｙｓを設定し、タッチパネル５２の各静電容量値ｃｘ、ｃｙが各閾値ｘｓ、ｙｓ以上になると、各タッチ操作位置ｘｐ、ｙｐを求める。
【００９７】
例えば、画像形成装置１が待機状にある場合は、パネル制御部５３は、待機を通知されて、待機に対応する個別校正値（＝＋０）を校正テーブルＴｄＢから求め、個別校正値を各基準閾値ｘｂ、ｙｂにそれぞれ加算して、各閾値ｘｓ、ｙｓ（＝各基準閾値ｘｂ、ｙｂ）を設定し、タッチパネル５２の各静電容量値ｃｘ、ｃｙが各閾値ｘｓ、ｙｓ以上になると、各タッチ操作位置ｘｐ、ｙｐを求める。
【００９８】
また、用紙搬送装置６のモータ６６、プロセスユニット４、及び定着装置１７のヒータランプ６７が駆動制御されている場合は、パネル制御部５３は、モータ６６、プロセスユニット４、及びヒータランプ６７を通知されて、モータ６６、プロセスユニット４、及びヒータランプ６７に対応する各個別校正値を校正テーブルＴｄＢから求め、各個別校正値の合計（＝２６）を各基準閾値ｘｂ、ｙｂにそれぞれ加算して、各閾値ｘｓ、ｙｓ（＝各基準閾値ｘｂ＋２６、ｙｂ＋２６）を設定し、タッチパネル５２の各静電容量値ｃｘ、ｃｙが各閾値ｘｓ、ｙｓ以上になると、各タッチ操作位置ｘｐ、ｙｐを求める。
【００９９】
引き続いて、プロセスユニット４が停止されて、用紙搬送装置６のモータ６６及び定着装置１７のヒータランプ６７の駆動制御が継続されているならば、パネル制御部５３は、モータ６６及びヒータランプ６７を通知されて、モータ６６及びヒータランプ６７に対応する各個別校正値を校正テーブルＴｄＢから求め、各個別校正値の合計（＝１４）を各基準閾値ｘｂ、ｙｂにそれぞれ加算して、各閾値ｘｓ、ｙｓ（＝各基準閾値ｘｂ＋１４、ｙｂ＋１４）を設定し、タッチパネル５２の各静電容量値ｃｘ、ｃｙが各閾値ｘｓ、ｙｓ以上になると、各タッチ操作位置ｘｐ、ｙｐを求める。
【０１００】
更に、用紙搬送装置６のモータ６６が停止されて、定着装置１７のヒータランプ６７の駆動制御が継続されているならば、パネル制御部５３は、ヒータランプ６７を通知されて、ヒータランプ６７に対応する個別校正値を校正テーブルＴｄＢから求め、個別校正値（＝１０）を各基準閾値ｘｂ、ｙｂにそれぞれ加算して、各閾値ｘｓ、ｙｓ（＝各基準閾値ｘｂ＋１０、ｙｂ＋１０）を設定し、タッチパネル５２の各静電容量値ｃｘ、ｃｙが各閾値ｘｓ、ｙｓ以上になると、各タッチ操作位置ｘｐ、ｙｐを求める。
【０１０１】
また、原稿読取り装置２だけが駆動制御されている場合は、パネル制御部５３は、原稿読取り装置２を通知されて、原稿読取り装置２に対応する個別校正値（＝１５）を校正テーブルＴｄＢから求め、この個別校正値を各基準閾値ｘｂ、ｙｂにそれぞれ加算して、各閾値ｘｓ、ｙｓ（＝各基準閾値ｘｂ＋１５、ｙｂ＋１５）を設定し、タッチパネル５２の各静電容量値ｃｘ、ｃｙが各閾値ｘｓ、ｙｓ以上になると、各タッチ操作位置ｘｐ、ｙｐを求める。
【０１０２】
このように第３実施形態の画像形成装置１では、画像形成装置１の動作中にノイズを発生するユニットを随時判定して、この判定したユニットに対して設定された個別校正値に基づき各閾値ｘｓ、ｙｓをより適確に設定しているので、画像形成装置１の動作中であっても、タッチパネル５２の操作性を損なうことなく、タッチ操作の誤検出を抑制することができる。
【０１０３】
尚、上記各実施形態では、タッチパネル５２の全体に対して各閾値ｘｓ、ｙｓを設定しているが、タッチパネル５２を複数の領域に区分して、各領域別に、各閾値ｘｓ、ｙｓを設定しても構わない。例えば、図１１に示すようにタッチパネル５２を、画像形成装置１に近い領域５２ａと領域５２ａよりも離れた領域５２ｂに区分して、各領域５２ａ、５２ｂ別に、閾値ｙｓを設定する。領域５２ａは、画像形成装置１に近くて、ノイズの影響を受け易いため、閾値ｙｓを第１乃至第３実施形態のいずれかと同様の方法で設定する。また、領域５２ｂは、画像形成装置１から離れていて、ノイズの影響を受け難いため、閾値ｙｓを基準閾値ｙｂと常に同一に設定する。図１２（ａ）は、タッチパネル５２のＸ軸方向における静電容量値ｃｘ及び閾値ｘｓを模式的に示すグラフであり、図１２（ｂ）は、タッチパネル５２のＹ軸方向における静電容量値ｃｙ及び各領域５２ａ、５２ｂ別に設定された閾値ｙｓを模式的に示すグラフである。図１２（ａ）に示すように各領域５２ａ、５２ｂのいずれにおいても、Ｘ軸方向の閾値ｘｓを基準閾値ｘｂと常に同一に設定する。また、図１２（ｂ）に示すように画像形成装置１に近い領域５２ａにおいては、Ｙ軸方向の閾値ｙｓを基準閾値ｙｂ＋校正値ｙｙに設定し、画像形成装置１から離れた領域５２ｂにおいては、Ｙ軸方向の閾値ｙｓを基準閾値ｙｂと常に同一に設定する。これにより、領域５２ａではタッチ操作の誤検出が抑制され、領域５２ｂでは良好な操作性が常に保持される。
【０１０４】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１０５】
１  画像形成装置
２  原稿読取り装置
３  原稿搬送装置
４  プロセスユニット
５  給紙カセット
６  用紙搬送装置
７  操作パネル
１１  光走査装置
１２  現像装置
１３  感光体ドラム
１４  ドラムクリーニング装置
１５  帯電装置
５１  表示部
５２  タッチパネル
５３  パネル制御部
６１  主制御部
６２  画像メモリ
６３  入出力部
Ｔｄ、ＴｄＡ、ＴｄＢ  校正テーブル
【図１】
2015104815.tif 000003
【図２】
2015104815.tif 000004
【図３】
2015104815.tif 000005
【図４】
2015104815.tif 000006
【図５】
2015104815.tif 000007
【図６】
2015104815.tif 000008
【図７】
2015104815.tif 000009
【図８】
2015104815.tif 000010
【図９】
2015104815.tif 000011
【図１０】
2015104815.tif 000012
【図１１】
2015104815.tif 000013
【図１２】
2015104815.tif 000014